(57)【要約】【課題】コンテンツ再生装置で広告（サイネージ）用などのテロップと音声とを含んだコンテンツを効果的に再生させることのできる制御装置を提供する。【解決手段】コンテンツ再生装置で、文字列を有するテロップと音声とを含んだコンテンツを再生する際、コンテンツ再生装置の制御装置は、再生する音声を設定し、さらに、設定された音声によって出力する情報量に応じてテロップによって出力する情報量を決定する。このとき、制御装置は、音声によって出力する情報量が少ないほどテロップによって出力する情報量が多くなるように、テロップによって出力する情報量を決定する。そして、コンテンツ再生装置は制御装置での制御に従って、設定に従った情報量で音声を再生し、決定に従った情報量でテロップを再生する。【選択図】図５
2015069201.tif 000002
【特許請求の範囲】
【請求項１】
コンテンツ再生装置でのコンテンツの再生を制御するための制御装置であって、
前記コンテンツは、文字列を有するテロップと音声とを含み、
前記コンテンツ再生装置で再生する前記音声を設定するための設定手段と、
前記設定に従って前記音声の再生を制御するための音声制御手段と、
設定された前記音声によって出力する情報量に応じて前記テロップによって出力する情報量を決定するための決定手段と、
前記決定に従って前記テロップの再生を制御するためのテロップ制御手段とを備え、
前記決定手段は、前記音声によって出力する情報量が少ないほど前記テロップによって出力する情報量が多くなるように決定する、制御装置。
【請求項２】
前記設定手段は、ユーザの前記音声の音量調整を受け付けるための入力手段を含み、
前記音声によって出力する情報量は前記音声の音量が大きいほど多い、請求項１に記載の制御装置。
【請求項３】
前記設定手段は、ユーザの前記コンテンツ再生装置で再生する前記音声の選択を受け付けるための入力手段を含み、
前記決定手段は、選択された前記音声に対して予め対応付けられている当該音声によって出力する情報量のレベルに応じて前記テロップによって出力する情報量を決定する、請求項１に記載の制御装置。
【請求項４】
前記設定手段は、ユーザの前記コンテンツ再生装置で再生する前記音声の選択を受け付けるための入力手段を含み、
前記決定手段は、選択された前記音声の、当該音声によって出力する情報量を検出するための検出手段を含む、請求項１に記載の制御装置。
【請求項５】
前記設定手段は、前記コンテンツ再生装置の周辺環境または再生タイミングが属する時間帯に応じて前記音声を設定する、請求項１に記載の制御装置。
【請求項６】
前記コンテンツに含まれる前記テロップとして、出力する情報量の異なる複数のテロップを記憶するための記憶装置にアクセス可能であって、
前記決定手段は、前記複数のテロップの中から前記音声によって出力する情報量に応じたテロップを選択する、請求項１〜５のいずれかに記載の制御装置。
【請求項７】
前記テロップによって出力する情報量は前記テロップに含まれる文字列が多いほど多く、
前記決定手段は、前記音声によって出力する情報量が少ないほど前記複数のテロップの中から文字列を多く含むテロップを選択する、請求項６に記載の制御装置。
【請求項８】
前記テロップによって出力する情報量は前記テロップの再生態様によって異なり、
前記決定手段は、前記音声によって出力する情報量に応じた前記テロップの再生態様を決定する、請求項１〜５のいずれかに記載の制御装置。
【請求項９】
請求項１〜８のいずれかに記載の制御装置を含む、コンテンツ再生装置。
【請求項１０】
コンテンツ再生装置と電気的に接続され、前記コンテンツ再生装置に対してコンテンツを配信してその再生を制御するためのサーバであって、
前記コンテンツとして、文字列を有するテロップと音声とを含んだコンテンツデータを記憶するための記憶手段と、
前記コンテンツ再生装置で再生する前記音声の設定を受け付けるための設定手段と、
設定された前記音声によって出力する情報量に応じて前記テロップによって出力する情報量を決定するための決定手段と、
前記音声と前記テロップとを前記コンテンツ再生装置に対して配信すると共に、前記音声を設定された情報量で出力し、前記テロップを決定された情報量で出力するための制御信号を前記コンテンツ再生装置に送信するための配信手段とを備え、
前記決定手段は、前記音声によって出力する情報量が少ないほど前記テロップによって出力する情報量が多くなるように決定する、配信サーバ。
【請求項１１】
文字列を有するテロップと音声とを含んだコンテンツの、コンテンツ再生装置での再生方法であって、
再生する前記音声を設定するステップと、
設定された前記音声によって出力する情報量に応じて前記テロップによって出力する情報量を決定するステップと、
前記設定に従った情報量で前記音声を再生し、前記決定に従った情報量で前記テロップを再生するステップとを備え、
前記決定するステップでは、前記音声によって出力する情報量が少ないほど前記テロップによって出力する情報量が多くなるように決定する、コンテンツ再生方法。
【請求項１２】
コンテンツ再生装置に、文字列を有するテロップと音声とを含んだコンテンツを再生させるプログラムであって、
再生する前記音声を設定するステップと、
設定された前記音声によって出力する情報量に応じて前記テロップによって出力する情報量を決定するステップと、
前記設定に従った情報量で前記音声を再生し、前記決定に従った情報量で前記テロップを再生するステップとを前記コンテンツ再生装置に実行させ、
前記決定するステップでは、前記音声によって出力する情報量が少ないほど前記テロップによって出力する情報量が多くなるように決定する、コンテンツ再生プログラム。
【発明の詳細な説明】
【技術分野】
【０００１】
この発明は制御装置、コンテンツ再生装置、コンテンツ配信サーバ、コンテンツ再生方法、およびコンテンツ再生プログラムに関し、特に、サイネージ用などのテロップと音声とを含んだコンテンツの再生するための制御装置、コンテンツ再生装置、コンテンツ配信サーバ、コンテンツ再生方法、およびコンテンツ再生プログラムに関する。
【背景技術】
【０００２】
近年、広告（サイネージ）用のコンテンツを再生するためのコンテンツ再生装置であるサイネージ表示装置の普及が進んでいる。サイネージ表示装置は、駅などの交通機関や、ショッピングモールおよび小規模販売店などに設置されている。サイネージ表示装置は、例えば商品の使用態様を表示する等により、消費者の購買意欲を高めることができる。例えば、人通りが多い大規模なショッピングセンター等において、大型のディスプレイに次々と広告を表示することで、消費者に情報を提示するとともに、広告主による販売促進などのプロモーション活動を実現することができる。また、例えば、比較的小規模な店舗において、サイネージ用のコンテンツを、インターネットを通じて配信サーバ等から配信を受けて、店頭に設置したディスプレイやタブレット型の表示端末に表示することも行なわれている。
【０００３】
これらサイネージ用のコンテンツは、主として、画像データを表示する領域である画像ペインと、テロップデータ（テキスト）を表示する領域であるテロップペインと、音声とを含む。テロップの表示と画像の表示とを制御する技術として、例えば特開２００８−２０３７７１号公報（以下、特許文献１）に記載されたものがある。特許文献１は、テロップ情報とともに画像情報を表示するテロップ情報表示装置において、テロップ情報の表示時間より、画像情報の再生時間が短い場合、画像情報を繰り返して再生することを開示している。
【先行技術文献】
【特許文献】
【０００４】
【特許文献１】特開２００８−２０３７７１号公報
【発明の概要】
【発明が解決しようとする課題】
【０００５】
サイネージ用のコンテンツなどの音声と文字とで情報を伝達するためのコンテンツを効果的に再生するためには、表示と音声とのバランスを考慮することが不可欠である。すなわち、サイネージ表示装置の設置された周囲の騒音や人通りなどの環境や再生する時間帯などによって音声を抑えて再生する場合には、広告効果を減退させいないようにしなければならない、という課題がある。
【０００６】
本発明はこのような問題に鑑みてなされたものであって、広告（サイネージ）用などのテロップと音声とを含んだ情報伝達用のコンテンツを効果的に再生することのできる制御装置、コンテンツ再生装置、コンテンツ配信サーバ、コンテンツ再生方法、およびコンテンツ再生プログラムを提供することを目的としている。
【課題を解決するための手段】
【０００７】
上記目的を達成するために、本発明のある局面に従うと、制御装置はコンテンツ再生装置でのコンテンツの再生を制御するための制御装置であって、コンテンツは、文字列を有するテロップと音声とを含み、コンテンツ再生装置で再生する音声を設定するための設定手段と、設定に従って音声の再生を制御するための音声制御手段と、設定された音声によって出力する情報量に応じてテロップによって出力する情報量を決定するための決定手段と、決定に従ってテロップの再生を制御するためのテロップ制御手段とを備え、決定手段は、音声によって出力する情報量が少ないほどテロップによって出力する情報量が多くなるように決定する。
【０００８】
本発明の他の局面に従うと、コンテンツ再生装置は上記の制御装置を含む。
本発明のさらに他の局面に従うと、配信サーバはコンテンツ再生装置と電気的に接続され、コンテンツ再生装置に対してコンテンツを配信してその再生を制御するためのサーバであって、コンテンツとして、文字列を有するテロップと音声とを含んだコンテンツデータを記憶するための記憶手段と、コンテンツ再生装置で再生する音声の設定を受け付けるための設定手段と、設定された音声によって出力する情報量に応じてテロップによって出力する情報量を決定するための決定手段と、音声とテロップとをコンテンツ再生装置に対して配信すると共に、音声を設定された情報量で出力し、テロップを決定された情報量で出力するための制御信号をコンテンツ再生装置に送信するための配信手段とを備え、決定手段は、音声によって出力する情報量が少ないほどテロップによって出力する情報量が多くなるように決定する。
【０００９】
本発明のさらに他の局面に従うと、コンテンツ再生方法は、文字列を有するテロップと音声とを含んだコンテンツの、コンテンツ再生装置での再生方法であって、再生する音声を設定するステップと、設定された音声によって出力する情報量に応じてテロップによって出力する情報量を決定するステップと、設定に従った情報量で音声を再生し、決定に従った情報量でテロップを再生するステップとを備え、決定するステップでは、音声によって出力する情報量が少ないほどテロップによって出力する情報量が多くなるように決定する。
【００１０】
本発明のさらに他の局面に従うと、コンテンツ再生プログラムは、コンテンツ再生装置に、文字列を有するテロップと音声とを含んだコンテンツを再生させるプログラムであって、再生する音声を設定するステップと、設定された音声によって出力する情報量に応じてテロップによって出力する情報量を決定するステップと、設定に従った情報量で音声を再生し、決定に従った情報量でテロップを再生するステップとをコンテンツ再生装置に実行させ、決定するステップでは、音声によって出力する情報量が少ないほどテロップによって出力する情報量が多くなるように決定する。
【発明の効果】
【００１１】
この発明によると、コンテンツ再生装置において広告（サイネージ）用などのテロップと音声とを含んだ情報伝達用のコンテンツを効果的に再生することができる。
【図面の簡単な説明】
【００１２】
【図１】サイネージシステムの構成の具体例を示す図である。
【図２】サイネージシステムに含まれる制御装置の装置構成の具体例を示すブロック図である。
【図３】サイネージシステムに含まれるサイネージ表示端末の装置構成の具体例を示すブロック図である。
【図４】サイネージシステムに含まれる配信サーバの装置構成の具体例を示すブロック図である。
【図５】システムでの動作概要を表わした図である。
【図６】制御装置の機能構成を表わすブロック図である。
【図７】第１の実施の形態にかかる制御装置での制御動作の流れの一例を表わすフローチャートである。
【図８】第２の実施の形態にかかる制御装置での制御動作の流れの一例を表わすフローチャートである。
【図９】第３の実施の形態にかかる制御装置での制御動作の流れの一例を表わすフローチャートである。
【図１０】図１０（Ａ）は、サイネージ用のコンテンツに含まれる、複数の音声と、それぞれに対応付けられた情報量のレベルと、各レベルに対応付けられたテロップ（の文字数）との関係の具体例を表わした図であり、図１０（Ｂ）は、音量とテロップとの対応付けの具体例を表わした図である。
【発明を実施するための形態】
【００１３】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１４】
［第１の実施の形態］
＜システム構成＞
図１は、第１の実施の形態にかかるサイネージシステム（以下、システム）の構成の具体例を示す図である。図１を参照して、本システムは、サイネージ用のコンテンツを再生するためのコンテンツ再生装置であるサイネージ表示端末２００と、サイネージ表示端末２００に対してインターネット等のネットワーク４００を介してサイネージ用のコンテンツを配信するための配信サーバ３００と、サイネージ表示端末２００でのコンテンツの再生を制御するための制御装置１００とを含む。
【００１５】
制御装置１００はサイネージ表示端末２００と電気的に接続され、有線または無線での通信が可能である。図１では、制御装置１００とサイネージ表示端末２００とが直接通信する例が示されているが、制御装置１００とサイネージ表示端末２００とはネットワーク４００を介して通信してもよい。また、図１では、制御装置１００がサイネージ表示端末２００から独立した別個の装置とした例が示されているが、制御装置１００はサイネージ表示端末２００に含まれてもよい。
【００１６】
このシステムは、例えば、比較的大きなショッピングモールや、交通機関や、小規模な店舗などにおいて使用される。すなわち、配信サーバ３００はインターネット等のネットワークを介して通信可能な位置に設置され、サイネージ表示端末２００はショッピングモールや駅などの交通機関や小規模な店舗などに設置される。サイネージ表示端末２００は、液晶ディスプレイなどのディスプレイを有する情報処理装置であればどのようなものであってもよい。例えば、図１に示されたようなテレビやスクリーンタイプの情報処理装置であってもよいし、タブレット端末であってもよい。
【００１７】
＜装置構成＞
制御装置１００、サイネージ表示端末２００、および配信サーバ３００は、いずれも、一般的な情報処理装置で構成され得る。図２〜図４は、それぞれ制御装置１００、サイネージ表示端末２００、および配信サーバ３００の装置構成の具体例を示すブロック図であって、いずれも一般的な情報処理装置で構成されている場合の構成の具体例を示している。
【００１８】
すなわち、図２を参照して、制御装置１００は、装置全体を制御するためのＣＰＵ（Central  Processing  Unit）１０と、ＣＰＵ１０で実行されるプログラムを記憶するためのメモリであるＲＯＭ（Read  Only  Memory）１１と、ＣＰＵ１０がプログラムを実行する際に用いられる値を記憶したり作業領域となったりするためのメモリであるＲＡＭ（Random  Access  Memory）１２と、コンテンツデータなどを記憶するための大型の記憶装置の一例であるＨＤＤ（Hard  Disk  Drive）１３と、ディスプレイ１４と、ユーザ指示を入力するためのマウスやキーボードなどの入力装置１５と、サイネージ表示端末２００との通信を制御するための通信コントローラ１６とを含む。
【００１９】
また、図３を参照して、サイネージ表示端末２００は、ＣＰＵ２０と、ＲＯＭ２１と、ＲＡＭ２２と、ＨＤＤ２３と、ディスプレイ２４と、ネットワーク４００を介した配信サーバ３００との通信を制御するためのネットワークコントローラ２５と、制御装置１００との通信を制御するための通信コントローラ２６とを含む。
【００２０】
また、図４を参照して、配信サーバ３００は、ＣＰＵ３０と、ＲＯＭ３１と、ＲＡＭ３２と、ＨＤＤ３３と、ネットワーク４００を介したサイネージ表示端末２００との通信を制御するためのネットワークコントローラ３５とを含む。
【００２１】
図２〜図４に示された装置構成はあくまでも例示であって、制御装置１００、サイネージ表示端末２００、および配信サーバ３００は図示された以外の装置構成を含んでもよい。
【００２２】
＜動作概要＞
配信サーバ３００は、サイネージ用のコンテンツとして、文字列を有するテロップと、音声とを含むコンテンツを蓄積している。そして、予め規定されたタイミングやサイネージ表示端末２００などからの要求に応じて、サイネージ用のコンテンツをサイネージ表示端末２００に配信する。
【００２３】
サイネージ表示端末２００は配信サーバ３００から配信されたサイネージ用のコンテンツをメモリに格納し、制御装置１００からの制御に従って再生する。すなわち、サイネージ表示端末２００は制御装置１００から、再生対象のサイネージ用のコンテンツについて、音声を設定する制御信号を受け付けて音声を再生（出力）すると共に、テロップを設定する制御信号を受け付けてテロップを再生（表示）する。
【００２４】
図５は、本実施の形態にかかるシステムでの動作概要を表わした図であって、制御装置１００が制御するサイネージ表示端末２００でのサイネージ用のコンテンツの再生の様子を観念的に表わした図である。
【００２５】
図５を参照して、サイネージ用のコンテンツは、音声と、テキストを有するテロップとを含む。制御装置１００は、サイネージ表示端末２００でのコンテンツの再生として、音声の出力とテロップの出力とを、それぞれ独立して制御可能である。
【００２６】
すなわち、制御装置１００は、サイネージ表示端末２００で再生する音声を設定し、その設定に従ってサイネージ表示端末２００での音声の再生を制御する。さらに制御装置１００は、設定された音声によって出力する情報量に応じて、テロップによって出力する情報量を決定する。そして、制御装置１００は、その決定に従ってサイネージ表示端末２００でのテロップの再生を制御する。このとき、制御装置１００は、音声によって出力する情報量が少ないほどテロップによって出力する情報量が多くなるように決定する。図５の点線は、それぞれ、音声とテロップとの出力する情報量を概念的に表わしたものである。図５の点線で表わされたように、制御装置１００は、音声によって出力する情報量が多いときにはテロップによって出力する情報量は少なくてもよく、逆に、音声によって出力する情報量が少なくなるとテロップによって出力する情報量を多くする。このようにすることで、音声とテロップとの両方で出力される情報量の和は、いずれの場合も同じ程度の量となる。すなわち、音声によって出力する情報量が少ない場合には、その欠落部分または不足部分をテロップの再生によって補うように、テロップで出力する情報量を決定する。
【００２７】
ここで、情報量とは、コンテンツの視聴者であるユーザに届ける情報の量を指す。すなわち、音声によって出力する情報量は、音声の音量が大きくなるほど多い。また、音声によって出力する情報量は、１フレーズ（発声するテキスト）の長さがしきい値付近が多く、そのしきい値から離れる（長すぎる、または短すぎる）ほど少なくなる。また、音声によって出力する情報量は、音域が通常の人の話声の属する音域が多く、その音域より離れる（高すぎる、または低すぎる）ほど少なくなる。また、音声によって出力する情報量は、音声の再生速度が通常の人が聞き取り可能なスピードの範囲が多く、その範囲より離れる（速すぎる、または遅すぎる）ほど少なくなる。すなわち、音声によって出力する情報量は、音量、１フレーズ（発声するテキスト）の長さ、再生する音域、および再生速度などによって変化する。そのため、制御装置１００は、サイネージ表示端末２００で再生する音声を設定する際に、その音量、フレーズの長さ、再生する音域、および再生速度などの出力態様も設定する。
【００２８】
また、テロップによって出力する情報量は、含まれる文字列が多いほど多くなる。また、テロップによって出力する情報量は、表示速度が人が読み取り可能なスピードの範囲が多く、その範囲より離れる（速すぎる、または遅すぎる）ほど少なくなる。また、テロップによって出力する情報量は、テロップの表示回数、つまり繰り返し回数が多いほど多い。また、テロップによって出力する情報量は、テロップの表示効果（点滅や装飾など）が派手になるほど多い。すなわち、テロップによって出力する情報量は、テロップの長さ（文字数）や再生態様（表示速度、表示効果、表示回数、など）などによって変化する。そのため、制御装置１００は、サイネージ表示端末２００で再生するテロップによって出力する情報量を決定する際に、テロップの長さ（文字数）や再生態様（表示速度、表示効果、表示回数、など）などを決定する。
【００２９】
制御装置１００で音声を設定する際には、制御装置１００は、一例として入力装置１５やサイネージ表示端末２００からの通信などによってユーザの音声の音量調整を受け付け、サイネージ表示端末２００で再生する音声を設定すると共にその音量を設定する。この場合、上記のように、音量が大きいほど当該音声によって出力する情報量が多く、音量が小さいほど当該音声によって出力する情報量が少ない。そこで、制御装置１００は、設定した音量に応じて、テロップで出力する情報量（テロップの長さ（文字数）や再生態様（表示速度、表示効果、表示回数、など）など）を決定する。一例として、制御装置１００は、再生するコンテンツのテロップであって、テキストの長さ（文字数）の異なるテロップが複数種類、記憶されているサイネージ表示端末２００のメモリ、または配信サーバ３００にアクセスし、その中から設定した音量に応じた長さのテロップを選択する。この場合、制御装置１００は、図５に表わされたように、音量が大きい場合には文字数の少ないテロップを選択し、音量が小さい場合には文字数の多いテロップを選択する。
【００３０】
＜機能構成＞
図６は、上記動作を行なうための制御装置１００の機能構成を表わすブロック図である。図６の各機能は、制御装置１００のＣＰＵ１０がＲＯＭ１１に記憶されているプログラムをＲＡＭ１２上に読み出して実行することで、主に、ＣＰＵ１０で実現される。しかしながら、少なくとも一部機能は、図２に示された他の構成、または図示されていない電気回路などのハードウェア構成によって実現されてもよい。
【００３１】
図６を参照して、ＣＰＵ１０は、入力装置１５からの操作信号の入力を受け付けることでユーザの音声の音量調整を受け付けるための入力部１０１と、ユーザ操作に従ってサイネージ表示端末２００で再生する音声を設定するための設定部１０２と、設定された音量を表わした制御信号を渡してサイネージ表示端末２００での音声の再生を制御するための音声制御部１０３と、設定された音量に応じて、テロップの長さ（文字数）や再生態様（表示速度、表示効果、表示回数、など）などの出力する情報量を決定するための決定部１０４と、決定したテロップの長さ（文字数）や再生態様（表示速度、表示効果、表示回数、など）などの出力する情報量を表わした制御信号を渡してサイネージ表示端末２００でのテロップの再生を制御するためのテロップ制御部１０５とを含む。決定部１０４は、サイネージ表示端末２００のメモリ、または配信サーバ３００など、サイネージ用のコンテンツに含まれるテロップとして、出力する情報量（テロップの長さ（文字数）や再生態様（表示速度、表示効果、表示回数等）など）の異なる複数種類のテロップを記憶するメモリにアクセスし、その中から設定された音量に応じたテロップを選択するための選択部１０６を含む。
【００３２】
選択部１０６は、一例として、予め、音量とテロップで出力する情報量（テロップの長さ（文字数）や再生態様（表示速度、表示効果、表示回数等）との対応関係を記憶しておく。そして、選択部１０６は、上記のメモリに記憶されている複数種類のテロップの中から、設定された音量に対応した文字数のテロップを選択する。または、選択部１０６は、予め制御可能な複数種類の再生態様（表示速度、表示効果、表示回数等）の中から、設定された音量に対応した再生態様を選択する。
【００３３】
＜動作フロー＞
図７は、第１の実施の形態にかかる制御装置１００での制御動作の流れの一例を表わすフローチャートである。図７のフローチャートに表わされた動作は、ＣＰＵ１０がＲＯＭ１１に記憶されているプログラムをＲＡＭ１２上に読み出して実行し、図６の各機能を発揮することによって実現される。図７の動作は、制御装置１００が入力装置１５やサイネージ表示端末２００などの他の装置から再生するサイネージ用のコンテンツの指定を受け付けると、または、音量の設定（変更）を受け付けると開始される。
【００３４】
図７を参照して、制御を開始すると、ＣＰＵ１０は、入力装置１５からの操作信号などに従って音量を設定する（ステップＳ１０１）。次に、ＣＰＵ１０は、ステップＳ１０１で設定した音量に対応したテロップの文字数を決定する（ステップＳ１０３）。ここでは、ＣＰＵ１０は、予め音量と文字数（または文字数の範囲）との対応関係を記憶しておき、メモリに記憶されている異なる文字数の複数種類のテロップの中から対応する文字数（または文字数の範囲内）のテロップを選択することでテロップの文字数を決定する。そして、ＣＰＵ１０は、設定された音量で音声を出力し、および決定した文字数のテロップを表示するよう、サイネージ表示端末２００に対して制御信号を出力することでサイネージ用のコンテンツの再生を制御する（ステップＳ１０５）。
【００３５】
上記ステップＳ１０３でＣＰＵ１０は、テロップの文字数に替えて、または文字数に加えて、表示態様（表示速度、表示効果、表示回数、など）を決定してもよい。この場合、ステップＳ１０５でＣＰＵ１０は、決定した表示態様でテロップを表示するよう、サイネージ表示端末２００に対して制御信号を出力することでサイネージ用のコンテンツの再生を制御する。
【００３６】
なお、本実施の形態にかかる制御装置１００では、音量が小さくなったときにテロップの文字数を長くするなどして出力される情報量を多くすることは必須であるが、その逆に、音量が大きくなったときにテロップを短くするなどして出力される情報量を少なくすることは必ずしも行なわなくてもよい。これは、以降の説明でも同様である。
【００３７】
＜第１の実施の形態の効果＞
第１の実施の形態にかかる制御装置１００が上記の制御動作を行なうことで、ユーザが制御装置１００またはサイネージ表示端末２００、あるいは図示しないタブレット端末やリモートコントローラなどを用いて、再生するコンテンツの音量を上げるとテロップが短くなり、音量を下げるとテロップが長くなる。または、ユーザが再生するコンテンツの音量を下げると、テロップの表示時間が長くなったり、点滅等して目立つ表示態様になったり、表示回数が多くなったりする。このようにすることで、音声（聴覚）によって視聴者に提供する情報量が減った場合であっても、音声（聴覚）によって視聴者に提供する情報量とテロップ（視覚）によって視聴者に提供する情報量との総和を減らすことがなく、広告（サイネージ）効果を維持することができる。
【００３８】
［第２の実施の形態］
＜動作概要＞
第２の実施の形態では、再生するサイネージ用のコンテンツに、内容の異なる複数の種類の音声が含まれ、その中から再生（出力）する音声の選択を受け付ける。制御装置１００は、選択された音声によって出力される情報量を検出し、その情報量に応じたテロップの文字数や表示態様を決定する。
【００３９】
＜機能構成＞
上記動作を行なうため、制御装置１００のＣＰＵ１０は、図６に表わされたように、決定部１０４に、選択された音声、当該音声によって出力される情報量を検出するための検出部１０７がさらに含まれる。
【００４０】
入力部１０１は、入力装置１５やサイネージ表示端末２００などの他の装置から、ユーザのサイネージ表示端末２００で再生（出力）する音声の選択を受け付ける。検出部１０７は、一例として選択された音声に対して音声認識処理を施して、当該音声に含まれる、予め規定されたキーワード（商品名、金額等）の出現頻度を検出する。すなわち、検出部１０７は、一例として、選択された音声に特定のキーワードが多く含まれているか少ないかを検出する。音声によって出力する情報量は、特定のキーワードの出現頻度が高い（多く含まれている）ほど多く、出現頻度が低いほど少なくなる。
【００４１】
その他の例として、検出部１０７は、選択された音声の音域ごとのヒストグラムを生成するなどして、当該音声がＢＧＭ（背景音）を多く含んでナレーション（言葉による商品説明等）が少ないものであるか、ＢＧＭが少なくナレーションが多いものであるか、などを検出してもよい。音声によって出力する情報量は、ナレーションが多いほど多く、ナレーションが少ないほど少なくなる。
【００４２】
選択部１０６は、一例として、予め、キーワードの出現頻度（または出現頻度の範囲）とテロップで出力する情報量（テロップの長さ（文字数）や再生態様（表示速度、表示効果、表示回数、など）との対応関係を記憶しておく。そして、選択部１０６は、メモリに記憶されている複数種類のテロップの中から、検出された出現頻度に対応した文字数のテロップを選択する。または、選択部１０６は、予め制御可能な複数種類の再生態様（表示速度、表示効果、表示回数、など）の中から、検出された出現頻度に対応した再生態様を選択する。
【００４３】
＜動作フロー＞
図８は、第２の実施の形態にかかる制御装置１００での制御動作の流れの一例を表わすフローチャートである。図８のフローチャートに表わされた動作もまた、ＣＰＵ１０がＲＯＭ１１に記憶されているプログラムをＲＡＭ１２上に読み出して実行し、図６の各機能を発揮することによって実現される。図８の動作は、制御装置１００が入力装置１５やサイネージ表示端末２００などの他の装置から再生するサイネージ用のコンテンツの指定を受け付けると、または、音声の選択（変更）を受け付けると開始される。
【００４４】
図８を参照して、制御を開始すると、ＣＰＵ１０は、入力装置１５からの操作信号などに従って、選択された音声を再生対象として設定する（ステップＳ２０１）。ＣＰＵ１０は、ステップＳ２０１で設定した音声に対して音声認識処理を施し（ステップＳ２０３）、当該音声での特定のキーワードの出現頻度を検出する（ステップＳ２０５）。次に、ＣＰＵ１０は、ステップＳ２０５で検出したキーワードの出現頻度に対応したテロップの文字数を決定する（ステップＳ２０７）。ここでの決定方法は、第１の実施の形態での決定方法と同様である。すなわち、ＣＰＵ１０は、予めキーワードの出現頻度と文字数（または文字数の範囲）との対応関係を記憶しておき、メモリに記憶されている異なる文字数の複数種類のテロップの中から対応する文字数（または文字数の範囲内）のテロップを選択することでテロップの文字数を決定する。そして、ＣＰＵ１０は、選択された音声を出力し、および決定した文字数のテロップを表示するよう、サイネージ表示端末２００に対して制御信号を出力することでサイネージ用のコンテンツの再生を制御する（ステップＳ２０９）。
【００４５】
第２の実施の形態でも、上記ステップＳ２０７でＣＰＵ１０は、テロップの文字数に替えて、または文字数に加えて、表示態様（表示速度、表示効果、表示回数、など）を決定してもよい。
【００４６】
＜第２の実施の形態の効果＞
第２の実施の形態にかかる制御装置１００が上記の制御動作を行なうことで、ユーザが制御装置１００またはサイネージ表示端末２００、あるいは図示しないタブレット端末やリモートコントローラなどを用いて、サイネージ表示端末２００で出力する音声を選択すると、その音声に特定のキーワードが少なかったり、ナレーションが少なかったりした場合にはテロップが長くなる。または、ロップの表示時間が長くなったり、点滅等して目立つ表示態様になったり、表示回数が多くなったりする。このようにすることで、音声（聴覚）によって視聴者に提供する情報量が少ない音声が選択された場合であっても、音声（聴覚）によって視聴者に提供する情報量とテロップ（視覚）によって視聴者に提供する情報量との総和を減らすことがなく、広告（サイネージ）効果を維持することができる。
【００４７】
［第３の実施の形態］
＜動作概要＞
第３の実施の形態では、制御装置１００は、サイネージ表示端末２００の周辺環境またはサイネージ用のコンテンツを再生するタイミングの属する時間帯に応じて音声を設定する。制御装置１００の設定する音声は、第１の実施の形態にて説明されたような音量やフレーズの長さ、再生する音域、および再生速度などの出力態様であってもよいし、第２の実施の形態にて説明されたような複数種類の音声の中から選択された音声そのものであってもよい。
【００４８】
サイネージ表示端末２００の周辺環境とは、サイネージ表示端末２００周辺の騒音のレベル、近傍に存在するユーザの数、天候（照度、湿度、温度等）などが該当する。制御装置１００は、これら周辺情報を、サイネージ表示端末２００に搭載された図示しないセンサからのセンシング情報で得ることができる。または、制御装置１００自体がサイネージ表示端末２００の周辺に設置可能であったり、サイネージ表示端末２００に搭載されていたりする場合には、制御装置１００にセンサが搭載され、周辺環境を得てもよい。上記のセンサは、たとえば照度計、湿度系、温度計などであった場合には、制御装置１００は、これらセンサから得られた値に基づいて周辺環境を得ることができる。
【００４９】
また、制御装置１００は、上記センサとしてマイクを利用してサイネージ表示端末２００の周辺環境としての騒音の音量を得ることができる。この場合、制御装置１００はサイネージ表示端末２００に搭載、またはサイネージ表示端末２００近傍に設置されたマイクからの音声入力と予め記憶しているしきい値とを比較することで、周辺環境として騒音の大小（騒音のレベル）を得ることができる。
【００５０】
また、制御装置１００は、上記センサとして無線通信を利用して、サイネージ表示端末２００の周辺環境としての近傍に存在するユーザの数を得ることができる。この場合、制御装置１００はサイネージ表示端末２００に搭載、またはサイネージ表示端末２００近傍に設置された無線通信から、当該無線通信と通信可能な範囲にあるユーザの端末装置（たとえば携帯電話機やタブレット端末等）との通信量（通信した端末数）に基づいて、サイネージ表示端末２００近傍に存在するユーザの数を得ることができる。または、制御装置１００は、上記センサとしてサイネージ表示端末２００に設置または近傍に設置されたカメラからの撮影画像を解析してユーザを特定することで、近傍に存在するユーザの数を得ることもできる。
【００５１】
制御装置１００は、予め、周辺環境と音声で出力する情報量との対応関係を記憶しておき、その対応関係に基づいて上記の音声を設定する。または、制御装置１００は、予め時間帯ごとの音声で出力する情報量との対応関係を記憶しておき、その対応関係に基づいて上記の音声を設定する。音声を設定すると、制御装置１００は、その音声で出力する情報量に応じてテロップで出力する情報量を設定する。テロップの決定方法は、第１の実施の形態での決定方法と同様である。
【００５２】
＜機能構成＞
上記動作を行なうため、制御装置１００のＣＰＵ１０は、入力部１０１で図示しないセンサ、またはサイネージ表示端末２００に搭載されたセンサ、あるいはサイネージ表示端末２００近傍に設置されたセンサから、サイネージ表示端末２００の周辺環境を表わすセンサ信号の入力を受け付ける。設定部１０２は、予め、周辺環境と音声で出力する情報量との対応関係を記憶しておき、その対応関係に基づいて音声を設定する。または、設定部１０２は、予め、再生する時間帯と音声で出力する情報量との対応関係を記憶しておき、その対応関係に基づいて音声を設定する。選択部１０６は、第１の実施の形態と同様にして、設定された音声で出力される情報量に応じてテロップの文字数等を選択する。
【００５３】
＜動作フロー＞
図９は、第３の実施の形態にかかる制御装置１００での制御動作の流れの一例を表わすフローチャートである。図９のフローチャートに表わされた動作もまた、ＣＰＵ１０がＲＯＭ１１に記憶されているプログラムをＲＡＭ１２上に読み出して実行し、図６の各機能を発揮することによって実現される。図９の動作は、制御装置１００が入力装置１５やサイネージ表示端末２００などの他の装置から再生するサイネージ用のコンテンツの指定を受け付けたり、サイネージ用のコンテンツの再生開始の指示を受け付けたりすると開始される。
【００５４】
図９を参照して、制御を開始すると、ＣＰＵ１０は、図示しないマイクから入力された音声から、サイネージ表示端末２００周辺の騒音を検出する（ステップＳ３０１）。ＣＰＵ１０は、予め記憶している周辺の騒音のレベルと再生する音声の音量との対応に基づいて、音量を決定する（ステップＳ３０３）。
【００５５】
なお、時間帯に応じて音量を決定する場合には、上記ステップＳ３０１の処理を行なうことなく、ＣＰＵ１０は、ステップＳ３０３で再生するタイミングが属する時間帯に応じて音声を設定する。
【００５６】
次に、ＣＰＵ１０は、ステップＳ１０１で設定した音量に対応したテロップの文字数を決定する（ステップＳ３０５）。ここでの決定方法は、第１の実施の形態での決定方法と同様である。そして、ＣＰＵ１０は、設定された音量で音声を出力し、および決定した文字数のテロップを表示するよう、サイネージ表示端末２００に対して制御信号を出力することでサイネージ用のコンテンツの再生を制御する（ステップＳ３０７）。第３の実施の形態でも、上記ステップＳ３０５でＣＰＵ１０は、テロップの文字数に替えて、または文字数に加えて、表示態様（表示速度、表示効果、表示回数、など）を決定してもよい。
【００５７】
＜第３の実施の形態の効果＞
第３の実施の形態にかかる制御装置１００が上記の制御動作を行なうことで、一例として、サイネージ表示端末２００の周辺が静かであったり、近傍に存在するユーザの数が少なかったり、再生する時間帯が早朝であったりした場合には、自動的にサイネージ表示端末２００の音量が小さくなる。さらに、サイネージ表示端末２００の音量が小さくなると、自動的にテロップの文字数が多くなったり、テロップの表示時間が長くなったり、点滅等して目立つ表示態様になったり、表示回数が多くなったりする。このようにすることで、音声（聴覚）によって視聴者に提供する情報量を周辺環境や時間帯に応じて最適にすることができると共に、それによって音声（聴覚）によって視聴者に提供する情報量が減った場合であっても、音声（聴覚）によって視聴者に提供する情報量とテロップ（視覚）によって視聴者に提供する情報量との総和を減らすことがなく、広告（サイネージ）効果を維持することができる。
【００５８】
［第４の実施の形態］
第４の実施の形態として、サイネージ用のコンテンツには複数の音声が含まれ、各音声には当該音声によって出力する情報量のレベルが予め対応付けられていてもよい。この対応は、音声の情報に組み込まれてもよいし、コンテンツに含まれていてもよいし、コンテンツとは別の情報として制御装置１００やサイネージ表示端末２００のメモリや配信サーバ３００に記憶されていてもよい。制御装置１００は、ユーザからのサイネージ表示端末２００で再生する音声の選択を受け付けると、選択された音声に対応付けられている当該音声によって出力する情報量のレベルを特定することができる。さらに、音声によって出力する情報量のレベルには、それぞれ、テロップ（の文字数）が予め対応付けられている。制御装置１００は、音声の選択に従ってその情報量のレベルに対応付けられたテロップ（の文字数）を読み出すことで、テロップ（の文字数）を決定する。
【００５９】
図１０（Ａ）は、サイネージ用のコンテンツに含まれる、複数の音声と、それぞれに対応付けられた情報量のレベルと、各レベルに対応付けられたテロップ（の文字数）との関係の具体例を表わした図である。制御装置１００は、音声が選択されると、サイネージ用のコンテンツ、または制御装置１００やサイネージ表示端末２００のメモリや配信サーバ３００に記憶されているこの対応関係を読み出して対応する情報量のレベルを特定し、さらに当該レベルに対応付けられたテロップの文字数を決定することができる。なお、最も簡単な例として、予め、音声とテロップとが対応付けられていてもよい。
【００６０】
または、サイネージ用のコンテンツ、または制御装置１００やサイネージ表示端末２００のメモリや配信サーバ３００に、音量に応じた文字数のテロップの対応付けが記憶されていてもよい。図１０（Ｂ）は、音量とテロップとの対応付けの具体例を表わした図である。制御装置１００は、音量が設定されると、サイネージ用のコンテンツ、または制御装置１００やサイネージ表示端末２００のメモリや配信サーバ３００に記憶されているこの対応関係を読み出して設定された音量に対応付けられたテロップの文字数を決定することができる。
【００６１】
＜第４の実施の形態の効果＞
第４の実施の形態にかかるシステムがこのように構成されることで、制御装置１００は、最もシンプルな制御処理にて音声で出力される情報量およびテロップで出力される情報量とを決定してサイネージ表示端末２００での再生を制御することができる。
【００６２】
［第５の実施の形態］
第５の実施の形態として、本システムに複数のサイネージ表示端末２００が含まれ、制御装置１００がそれら複数のサイネージ表示端末２００でのサイネージ用のコンテンツの再生を制御するようにしてもよい。このシステムでは、たとえば駅や地下街など一定の広がりのある空間に複数のサイネージ表示端末２００を点在させて、その空間に存在するユーザーに対して一斉にコンテンツを提示するといった用い方が想定される。この場合、各サイネージ表示端末２００は同じコンテンツを再生してもよいし、たとえば地下街に設置される場合のように、それぞれが近傍の店舗の広告用のコンテンツを再生してもよい。この場合、制御装置１００は、個々のサイネージ表示端末２００について上記のような制御を行なってコンテンツの再生を制御してもよい。しかしながら、上記のような使い方の場合、各サイネージ表示端末２００が異なるコンテンツを再生する場合には、一斉に音声を出力するとユーザは聞き取りにくくなり、かえって広告効果を損なうことになる。また、同じコンテンツを再生する場合であっても、制御装置１００との間の通信状況などによって個々のサイネージ表示端末２００で再生のタイミングがずれる場合もあり、同様に、音声が聞き取りにくくなる場合もある。そこで、好ましくは、制御装置１００は、複数のサイネージ表示端末２００それぞれについて、他のサイネージ表示端末２００での音声出力を考慮して音声で出力される情報量を決定し、その情報量に基づいてテロップで出力される情報量を決定する。
【００６３】
一例として、制御装置１００は、複数のサイネージ表示端末２００のうちの指定された１台のサイネージ表示端末２００については上記と同様にして音声で出力される情報量およびテロップで出力される情報量とを決定する。他のサイネージ表示端末２００については、制御装置１００は、音声出力を行なわないようにし（音声で出力される情報量を０とし）、その情報量に基づいてテロップで出力される情報量を決定する。これにより、同じ空間に設置された複数のサイネージ表示端末２００のうち、いずれか１台のみから効果的に音声が出力されることになる。そして、音声出力しないサイネージ表示端末２００ではテロップで出力される情報量が多く設定されることになる。
【００６４】
他の例として、制御装置１００は、複数のサイネージ表示端末２００にそれぞれ異なるコンテンツを再生させる場合には、近接するサイネージ表示端末２００での音声によって出力される情報量に基づいて対象とするサイネージ表示端末２００の音声で出力される情報量を決定してもよい。すなわち、近接するサイネージ表示端末２００で再生するコンテンツが音声がなかったり、背景音楽のみであったりするような音声で出力される情報量が小さい場合には、制御装置１００は、出力される情報量が多くなるように対象とするサイネージ表示端末２００の音声を決定してもよい。これにより、同じ空間に複数のサイネージ表示端末２００が設置された場合に、近接するサイネージ表示端末２００からの音声と打ち消し合わないようにそれぞれのサイネージ表示端末２００から効果的に音声が出力されることになる。
【００６５】
［第６の実施の形態］
以上の説明では、制御装置１００が上記制御動作を行なうことでサイネージ表示端末２００でのサイネージ用のコンテンツの再生を制御するものとしているが、上述のように、制御装置１００はサイネージ表示端末２００に搭載されてもよい。第５の実施の形態の場合には、複数のサイネージ表示端末２００のうちのいずれか１台、またはそれぞれに搭載されてもよい。すなわち、図６の各機能は、サイネージ表示端末２００のＣＰＵ２０がＲＯＭ２１に記憶されるプログラムをＲＡＭ２２上に読み出して実行することでＣＰＵ２０で実現されるものであってもよい。
【００６６】
または、制御装置１００は配信サーバ３００に搭載されてもよい。すなわち、図６の各機能が、配信サーバ３００のＣＰＵ３０がＲＯＭ３１に記憶されるプログラムをＲＡＭ３２上に読み出して実行することでＣＰＵ３０で実現されることで、配信サーバ３００がサイネージ表示端末２００でのサイネージ用のコンテンツの再生を制御してもよい。
【００６７】
［第７の実施の形態］
以上の説明では、本システムで再生するコンテンツをサイネージ用としているが、対象とするコンテンツはサイネージ用に限定されるものではなく、文字列を含むテロップと音声とを含むコンテンツであればどのようなものであってもよい。たとえば情報番組などのコンテンツや、台詞や状況の説明がテロップで付加された映画、音楽などのコンテンツなどであってもよい。
【００６８】
［第８の実施の形態］
さらに、上述の制御動作を、制御装置１００のＣＰＵ１０、サイネージ表示端末２００のＣＰＵ２０、または配信サーバ３００のＣＰＵ３０に実行させるプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６９】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００７０】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００７１】
提供されるプログラム製品は、ハードディスクなどのプログラム格納部にインストールされて実行される。なお、プログラム製品は、プログラム自体と、プログラムが記録された記録媒体とを含む。
【００７２】
［まとめ］
本発明の局面は、次のように表わすことができる。
【００７３】
（１）コンテンツ再生装置（サイネージ表示端末２００）でのコンテンツの再生を制御するための制御装置（制御装置１００）であって、コンテンツは、文字列を有するテロップと音声とを含み、コンテンツ再生装置で再生する音声を設定するための設定手段（設定部１０２）と、設定に従って音声の再生を制御するための音声制御手段（音声制御部１０３）と、設定された音声によって出力する情報量に応じてテロップによって出力する情報量を決定するための決定手段（決定部１０４）と、決定に従ってテロップの再生を制御するためのテロップ制御手段（テロップ制御部１０５）とを備え、決定手段は、音声によって出力する情報量が少ないほどテロップによって出力する情報量が多くなるように決定する、制御装置。
【００７４】
これにより、コンテンツ再生装置において効果的に広告（サイネージ）用のコンテンツを再生することができる。
【００７５】
（２）設定手段は、ユーザの音声の音量調整を受け付けるための入力手段（入力部１０１）を含み、音声によって出力する情報量は音声の音量が大きいほど多い、（１）に記載の制御装置。
【００７６】
これにより、音量が小さくなることで音声によって出力される情報量の減少がテロップで出力される情報量によって補われる。
【００７７】
（３）設定手段は、ユーザのコンテンツ再生装置で再生する音声の選択を受け付けるための入力手段（入力部１０１）を含み、決定手段は、選択された音声に対して予め対応付けられている当該音声によって出力する情報量のレベルに応じてテロップによって出力する情報量を決定する、（１）に記載の制御装置。
【００７８】
これにより、選択された音声によって出力される情報量の減少したとしてもテロップで出力される情報量によって補われる。
【００７９】
（４）設定手段は、ユーザのコンテンツ再生装置で再生する音声の選択を受け付けるための入力手段（入力部１０１）を含み、決定手段は、選択された音声の、当該音声によって出力する情報量を検出するための検出手段を含む、（１）に記載の制御装置。
【００８０】
これにより、選択された音声によって出力される情報量が減少したとしてもテロップで出力される情報量によって補われる。
【００８１】
（５）設定手段は、コンテンツ再生装置の周辺環境または再生タイミングが属する時間帯に応じて音声を設定する、（１）に記載の制御装置。
【００８２】
これにより、コンテンツ再生装置の周辺環境または再生タイミングが属する時間帯に応じて自動的に音声が設定され、設定された音声によって出力される情報量が減少したとしてもテロップで出力される情報量によって補われる。
【００８３】
（６）コンテンツに含まれるテロップとして、出力する情報量の異なる複数のテロップを記憶するための記憶装置にアクセス可能であって、決定手段は、複数のテロップの中から音声によって出力する情報量に応じたテロップを選択する、（１）〜（５）のいずれかに記載の制御装置。
【００８４】
これにより、テロップで出力される情報量で音声によって出力される情報量の減少を補うことが可能となる。
【００８５】
（７）テロップによって出力する情報量はテロップに含まれる文字列が多いほど多く、決定手段は、音声によって出力する情報量が少ないほど複数のテロップの中から文字列を多く含むテロップを選択する、（６）に記載の制御装置。
【００８６】
これにより、テロップの文字数を多くすることで音声によって出力される情報量の減少を補うことが可能となる。
【００８７】
（８）テロップによって出力する情報量はテロップの再生態様によって異なり、決定手段は、音声によって出力する情報量に応じたテロップの再生態様を決定する、（１）〜（５）のいずれかに記載の制御装置。
【００８８】
これにより、テロップの再生態様によって、音声によって出力される情報量の減少を補うことが可能となる。
【００８９】
（９）（１）〜（８）のいずれかに記載の制御装置を含む、コンテンツ再生装置（サイネージ表示端末２００）。
【００９０】
これにより、コンテンツ再生装置自身の制御において効果的に広告（サイネージ）用のコンテンツを再生することができる。
【００９１】
（１０）コンテンツ再生装置と電気的に接続され、コンテンツ再生装置に対してコンテンツの再生を配信してその再生を制御するためのサーバ（配信サーバ３００）であって、コンテンツとして、文字列を有するテロップと音声とを含んだコンテンツデータを記憶するための記憶手段（ＨＤＤ３３）と、コンテンツ再生装置で再生する音声の設定を受け付けるための設定手段（設定部１０２）と、設定された音声によって出力する情報量に応じてテロップによって出力する情報量を決定するための決定手段（決定部１０４）と、音声とテロップとをコンテンツ再生装置に対して配信すると共に、音声を設定された情報量で出力し、テロップを決定された情報量で出力するための制御信号をコンテンツ再生装置に送信するための配信手段（ネットワークコントローラ３５）とを備え、決定手段は、音声によって出力する情報量が少ないほどテロップによって出力する情報量が多くなるように決定する、配信サーバ。
【００９２】
これにより、コンテンツ再生装置において効果的に広告（サイネージ）用のコンテンツを再生することができる。
【００９３】
（１１）文字列を有するテロップと音声とを含んだコンテンツの、コンテンツ再生装置での再生方法であって、再生する音声を設定するステップ（Ｓ１０１）と、設定された音声によって出力する情報量に応じてテロップによって出力する情報量を決定するステップ（Ｓ１０３）と、設定に従った情報量で音声を再生し、決定に従った情報量でテロップを再生するステップ（Ｓ１０５）とを備え、決定するステップでは、音声によって出力する情報量が少ないほどテロップによって出力する情報量が多くなるように決定する、コンテンツ再生方法。
【００９４】
これにより、コンテンツ再生装置において効果的に広告（サイネージ）用のコンテンツを再生することができる。
【００９５】
（１２）コンテンツ再生装置に、文字列を有するテロップと音声とを含んだコンテンツを再生させるプログラムであって、再生する音声を設定するステップ（Ｓ１０１）と、設定された音声によって出力する情報量に応じてテロップによって出力する情報量を決定するステップ（Ｓ１０３）と、設定に従った情報量で音声を再生し、決定に従った情報量でテロップを再生するステップ（Ｓ１０５）とをコンテンツ再生装置に実行させ、決定するステップでは、音声によって出力する情報量が少ないほどテロップによって出力する情報量が多くなるように決定する、コンテンツ再生プログラム。
【００９６】
これにより、コンテンツ再生装置において効果的に広告（サイネージ）用のコンテンツを再生することができる。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９８】
１０，２０，３０  ＣＰＵ、１１，２１，３１  ＲＯＭ、１２，２２，３２  ＲＡＭ、１４，２４  ディスプレイ、１５  入力装置、１６，２６  通信コントローラ、２３，３３  ＨＤＤ、２５，３５  ネットワークコントローラ、１００  制御装置、１０１  入力部、１０２  設定部、１０３  音声制御部、１０４  決定部、１０５  テロップ制御部、１０６  選択部、１０７  検出部、２００  サイネージ表示端末、３００  配信サーバ、４００  ネットワーク。
【図１】
2015069201.tif 000003
【図２】
2015069201.tif 000004
【図３】
2015069201.tif 000005
【図４】
2015069201.tif 000006
【図５】
2015069201.tif 000007
【図６】
2015069201.tif 000008
【図７】
2015069201.tif 000009
【図８】
2015069201.tif 000010
【図９】
2015069201.tif 000011
【図１０】
2015069201.tif 000012